(57)【要約】【課題】操作性に優れ、且つ録画予約や番組の確認に有効に活用することを可能にする。【解決手段】撮像手段と、前記撮像手段が所定のメディアの番組表を撮像して得た番組表イメージデータをパターン化して番組表パターンデータを取得する制御手段と、前記番組表パターンデータを送信して、送信した番組表パターンデータに応じた番組表データを受信する送受信手段と、１つ以上の番組の情報を含む番組表データを前記送受信手段が受信すると、受信した前記番組表データに基づく番組表データ表示を行う表示手段とを具備したことを特徴とする。【選択図】      図１
2006311122.tif 000002
【特許請求の範囲】
【請求項１】
撮像手段と、
前記撮像手段が所定のメディアの番組表を撮像して得た番組表イメージデータをパターン化して番組表パターンデータを取得する制御手段と、
前記番組表パターンデータを送信して、送信した番組表パターンデータに応じた番組表データを受信する送受信手段と、
１つ以上の番組の情報を含む番組表データを前記送受信手段が受信すると、受信した前記番組表データに基づく番組表データ表示を行う表示手段とを具備したことを特徴とする予約操作装置。
【請求項２】
前記番組表データ表示によって示される１つ以上の番組の中から１つの番組を選択する選択操作に応答して、選択された番組の録画予約を行うための情報を送信するか、又は、選択された番組に関する情報を取得するための情報を送信する情報送信手段を更に具備したことを特徴とする請求項１に記載の予約操作装置。
【請求項３】
前記表示手段は、前記情報送信手段に情報を送信させるためのアイコン表示を表示することを特徴とする請求項２に記載の予約操作装置。
【請求項４】
前記表示手段は、半透明であって、前記撮像手段による前記番組表の撮像時に、前記表示手段を透かして前記番組表が視認可能に構成されることを特徴とする請求項１に記載の予約操作装置。
【請求項５】
前記送受信手段は、前記撮像手段が前記所定のメディアの番組表を特定するための番組表特定イメージを撮像すると、撮像して得た番組表特定イメージデータを送信して、送信した番組表特定イメージデータに応じた番組表イメージデータを受信し、
前記表示手段は、受信された前記番組表特定イメージデータを表示することを特徴とする請求項１に記載の予約操作装置。
【発明の詳細な説明】
【技術分野】
【０００１】
本発明は、リモートコントロール装置に設けられたサブディスプレイ等に好適な予約操作装置に関する。
【背景技術】
【０００２】
従来、ビデオレコーダで放送番組などを録画することを目的とした番組録画予約を行う際には、利用者が新聞雑誌などの別メディアからの情報、もしくは放送局から提供される番組自動録画の予約のためのＥＰＧ（Ｅｌｅｃｔｒｏｎｉｃ  Ｐｒｏｇｒａｍ  Ｇｕｉｄｅ）を利用して時間設定などを行っていた。
【０００３】
例えば、新聞雑誌等の番組情報欄を参照する場合には、番組情報欄から録画時刻等を調べて、リモートコントロール装置（以下、リモコンという）等を操作して、録画予約のための入力を行うという予約操作を行う。しかし、新聞雑誌等に掲載されている番組の情報を、時刻やチャンネル等の情報に置き換えて、入力操作を行う必要があり、直感的な録画予約操作をすることはできず、操作が煩雑である。
【０００４】
そこで、新聞雑誌等の番組情報欄に、番組予約のためのＧコードを掲載し、このＧコードを指定することで予約操作を簡単にする方法もある。しかし、この場合でも、番組を類推できない記号の羅列を入力する必要がある。更に、番組情報欄に番組予約のためのバーコードを掲載し、リモコン等でこのバーコードを読み取ることで、録画予約を行う方法もある。この方法では、煩雑なバーコード読み取り操作を行う必要があり、直感的に簡単に録画予約操作することはできない。
【０００５】
これに対し、ＥＰＧを利用した録画予約方法は、画面上に表示されたＥＰＧの番組表のうち、選局を希望する番組を、例えばＧＵＩ（グラフィカルユーザインタフェース）を利用することで、直接的に指定するものである。
【０００６】
この手法は、当該番組が表示されている領域をポイントするという極めて直接的な手法によって、録画予約操作を行うことができ、録画予約操作を直感的で簡単なものにすることができる。
【０００７】
なお、特許文献１においては、リモコンに備えた表示部に電子番組表を表示する技術が開示されている。
【特許文献１】特開２０００−２２４４３７号公報
【発明の開示】
【発明が解決しようとする課題】
【０００８】
しかしながら、画面上で認識可能に表示することができる文字数の制限等から、一度に表示することができるＥＰＧ番組表は、１日の全番組のうちの極めて短い時間範囲のものに限られる。或いは、画面上に表示可能な番組数が限られることから、複数のチャンネルのうちの特定のチャンネルのみを表示する表示モードしか選択することができない。
【０００９】
このため、異なるチャンネルの異なる時間帯、或いは異なる日の録画予約を行う操作は極めて煩雑となる。また、全番組を一度に参照することができないことから、番組表を見ながら録画する番組を決めるという使い方には適しておらず、ＥＰＧ番組表は十分に活用されていないという問題があった。
【００１０】
本発明は、全番組を一度に参照可能なメディアを利用し、このメディア上の番組欄を利用してＥＰＧデータを取得することを可能にすることにより、操作性に優れ、且つ録画予約や番組の確認に有効に活用することができる予約操作装置を提供することを目的とする。
【課題を解決するための手段】
【００１１】
本発明に係る予約操作装置は、撮像手段と、前記撮像手段が所定のメディアの番組表を撮像して得た番組表イメージデータをパターン化して番組表パターンデータを取得する制御手段と、前記番組表パターンデータを送信して、送信した番組表パターンデータに応じた番組表データを受信する送受信手段と、１つ以上の番組の情報を含む番組表データを前記送受信手段が受信すると、受信した前記番組表データに基づく番組表データ表示を行う表示手段とを具備したことを特徴とする。
【発明の効果】
【００１２】
本発明によれば、全番組を一度に参照可能なメディアを利用し、このメディア上の番組欄を利用してＥＰＧデータを取得することを可能にすることにより、操作性に優れ、且つ録画予約や番組の確認に有効に活用することができるという効果を有する。
【発明を実施するための最良の形態】
【００１３】
以下、図面を参照して本発明の実施の形態について詳細に説明する。図１は本発明の一実施の形態に係る予約操作装置及びこの予約操作装置を用いて予約を行う番組予約装置を示すブロック図である。
【００１４】
先ず、本実施の形態の予約操作装置２１の通信相手となる番組予約装置１について説明する。番組予約装置１は、地上波や衛星やケーブル等を媒体とした放送によって伝送される番組データを録画予約するための装置である。
【００１５】
番組データ受信部２は、放送によって伝送される番組データを受信する。番組データ受信部２は、番組データを録画する場合には、録画予約によって指定された番組データを受信して、ＡＶデータとして図示しない録画部に出力することができるようになっている。
【００１６】
録画予約部８は、番組データ管理部５に制御されて、録画予約のスケジュールに従って、番組データ受信部２を制御するようになっている。即ち、録画予約部８は、番組データ管理部５から、予約録画する番組についての情報が与えられ、この情報によって指定された時間に、指定されたチャンネルの指定された番組を番組データ受信部２に受信させる。これにより、予約録画の時間になると、予約された番組のＡＶデータが出力されるようになっている。
【００１７】
番組表データ受信部３は、アンテナ１１からの放送やインターネット１２等を介して送られてくるＥＰＧデータ等の番組表データを受信する。受信された番組表データは、番組データ管理部５に与えられる。なお、番組表データとしては、番組ＩＤ、チャンネル、番組名、放送日、開始時刻、終了時刻、ジャンル及び出演者等の項目の情報を有している。
【００１８】
更に、本実施の形態においては、番組表データ受信部３は、放送局又はインターネット１２を介して、番組表等の番組に関する情報が掲載された新聞、雑誌等の各種メディアの紙面のイメージデータ（例えば番組表のイメージデータ）も受信するようになっている。番組表データ受信部３が受信するイメージデータ（以下、番組表イメージデータという）は、そのイメージに含まれる番組についての番組表データと関連付けられて受信されるようになっている。
【００１９】
例えば、Ａ新聞のテレビ欄のＢ放送局のＣ時間帯の番組表イメージデータは、Ｂ放送局のＣ時間帯の番組を示す番組データとして関連付けられている。例えば、放送局、新聞社或いは雑誌社等において、番組表イメージデータと番組データとの対応付けを行うことが可能である。
【００２０】
番組表データ受信部３は、受信した番組表データ及び番組表イメージデータを番組データ管理部５に出力する。
【００２１】
更に、番組表データ受信部３は、放送局又はインターネット１２を介して、番組表等の番組に関する情報が掲載された新聞、雑誌等の各種メディアの紙面を特定するためのイメージデータ（例えば番組表が掲載されているページ番号や発行者を記述したイメージデータ）も受信するようになっている。このイメージデータ（以下、番組表特定イメージデータという）についても番組データ管理部５に与えられる。
【００２２】
番組データ管理部５は、番組表データ受信部３によって受信された番組表データ、番組表イメージデータ及び番組表特定イメージデータを相互に関連付けて、番組表データ保存部１０に保存するようになっている。
【００２３】
この場合において、本実施の形態においては、番組データ管理部５は、番組表イメージデータをパターン化して記録するようになっている。例えば、番組表イメージデータに含まれる文字列を、文字列の長さ、文字数、文字列の間隔、文字間隔、１つの番組欄における文字列の配置状態等をパターン化し、パターンデータ（以下、番組表パターンデータという）を記録するようになっている。
【００２４】
一般的な番組表であれば、例えば、マイクロコンピュータを利用したパターン認識技術によって、特定のパターンデータが、いずれの番組表のいずれの領域に基づく番組表イメージデータであるかを判定可能である。
【００２５】
番組表データ保存部１０は、ハードディスク、光ディスク、ビデオテープ等の記録メディアによって構成されている。番組表データ保存部１０は、番組データ管理部８に管理されて番組表データ、番組表イメージデータ及び番組表特定イメージデータ（以下、番組表データ等ともいう）を保存すると共に、保存している番組表データ等を読み出して出力することができるようになっている。
【００２６】
なお、番組表データ保存部１０における記録容量が十分で、且つ、後述する予約操作装置２１における処理が十分高速であれば、パターン化することなくイメージデータをそのまま記録するようにしてもよい。
【００２７】
更に、番組表データ保存部１０には番組表イメージデータを記憶させ、番組データ管理部５において番組表データ保存部１０から読み出した番組表イメージデータをパターン化するようにしてもよい。
【００２８】
番組データ管理部５は、後述する予約操作装置２１から所定の番組表の一部の領域に基づく番組表パターンデータが与えられると、この番組表パターンデータを比較部９に与えるようになっている。比較部９は、番組データ管理部５から与えられたパターンデータと、番組表データ保存部１０に保存されている番組表パターンデータ（以下、参照番組表パターンデータという）とを比較することで、番組データ管理部５からの番組表パターンデータがいずれの番組表に基づく番組表イメージデータのいずれのイメージ領域に対応するものであるかを検出する。この検出結果は番組データ管理部５に与えられるようになっている。
【００２９】
番組データ管理部５は、比較部９からの検出結果によって示されるイメージ領域に対応した番組表データを番組表データ保存部１０から読み出して出力することができるようになっている。
【００３０】
また、番組データ管理部５は、後述する予約操作装置２１から、番組表特定イメージデータが与えられると、番組表データ保存部１０にアクセスすることで、対応する番組表イメージデータを取得することができるようになっている。例えば、番組データ管理部５は、番組表イメージデータが番組表データ保存部１０に保存されていれば、番組表データ保存部１０から番組表イメージデータを読み出してもよく、番組表イメージデータが番組表データ保存部１０に保存されていない場合には、番組表データ受信部３を介してインターネット１２等から受信するようにしてもよい。
【００３１】
また、番組関連情報受信部４は、インターネット１２を介して、番組に関連する情報（以下、番組関連情報という）、例えば、番組のあらすじや説明、番組の出演者についての情報等を受信するようになっている。番組関連情報受信部４は、受信した番組関連情報を番組データ管理部５に出力するようになっている。
【００３２】
番組データ管理部５は、例えば、マイクロコンピュータによって構成されており、番組予約装置１の全体を制御する。番組データ管理部５は、Ｉ／Ｏ部６を介して予約操作装置２１からの情報が与えられ、この情報に基づいて各部を制御すると共に、予約操作装置２１に表示させるための情報を作成して表示制御部７に出力するようになっている。
【００３３】
表示制御部７は、予約操作装置２１の後述する表示部２４に各種表示を行うための表示制御処理を行う。Ｉ／Ｏ部６は、予約操作装置２１のＩ／Ｏ部２５と番組データ管理部５、表示制御部７及び番組関連情報受信部４との間のデータ授受のインターフェース処理を行う。
【００３４】
なお、上述した番組予約装置１は、番組表データ保存部１０としてインターネット２１上の図示しない記憶装置を利用することができる。また、比較部９の処理は、インターネット１２上の検索エンジンを利用することで実現可能である。即ち、番組データ管理部５及び比較部９を除き、一般的なビデオテープレコーダやＤＶＤレコーダ等の構成を利用することができる。番組データ管理部５の機能をＤＶＤレコーダに搭載されるマイクロコンピュータによって実現すれば、番組予約装置１は、例えば、インターネット接続可能なＤＶＤレコーダによって構成可能である。
【００３５】
次に、本実施の形態に係る予約操作装置２１について説明する。
【００３６】
予約操作装置２１のＩ／Ｏ部２５は、番組予約装置１のＩ／Ｏ部６との間で、データの授受が可能である。Ｉ／Ｏ部２５は、制御部２２からのデータをＩ／Ｏ部６に転送すると共に、Ｉ／Ｏ部６からのデータを制御部２２に与えることができる。
【００３７】
本実施の形態においては、予約操作装置２１は、撮像処理部２３、表示部２４及び入力部２６を有している。撮像処理部２３は、例えば新聞や雑誌のテレビ欄を撮像することができる。撮像処理部２３の撮像データは、制御部２２を介して表示部２４に与えられるようになっている。表示部２４は、撮像データに基づく画像表示を行うことができる。更に、表示部２４は、制御部２２に制御されて、撮像画像の表示に所定のアイコンや文字表示等をオンスクリーン表示することができるようになっている。
【００３８】
入力部２６はユーザ操作に基づく情報を制御部２２に出力することができるようになっている。
【００３９】
図２は図１中の予約操作装置２１の外観を示す説明図である。
【００４０】
図１の表示部２４は、画像等を表示する表示面３１を備えている。本実施の形態においては、表示面３１は、例えば、半透明液晶画面によって構成され、表示面３１の表面側から予約操作装置２１の背面を視認することができるようになっている。
【００４１】
図１の入力部２６は、各種機能ボタン３６、カーソルボタン３８、決定ボタン３９及びジョグダイヤル３７等を有している。また、本実施の形態においては、表示面３１の表面にはタッチパネル４０が配設されており、タッチパネル４０も入力部２６として、ユーザ操作に基づく情報を制御部２２に伝えることができる。
【００４２】
表示面３１は予約操作装置２１の外形表面の大部分の面積を占め、表示面３１の周辺に各種ボタン等が配設されている。表示面３１は、撮像画像に基づく表示を行う撮像画像表示領域３２ａと、ユーザの操作を受け付けるためのアイコン表示を表示する操作表示領域３２ｂを有している。
【００４３】
また、画像表示領域３２ａには、撮像画像だけでなく、番組予約装置１から転送された番組表データに基づく表示（以下、番組表データ表示という）、番組表イメージデータに基づく表示（以下、番組表イメージ表示という）を表示することもできるようになっている。なお、番組表イメージデータは、撮像データから得られることもあり、番組予約装置１から転送されることもある。
【００４４】
図２の例は画像表示領域３２ａに、番組表データに基づいて４つの番組を示す番組表データ表示を行った例を示している。また、番組表データ表示を示す４つの枠中の１つの枠の斜線は、この枠に対するユーザのタッチ操作によってこの枠内に表示された番組表データ表示に基づく番組が選択されたことを示している。
【００４５】
図２の例では、操作表示領域３２ｂに、ユーザのタッチ操作を受け付ける２つのアイコンによる予約ボタン３４と関連情報ボタン３５とを表示した例を示している。また、これらのボタン３４，３５を示す枠内の斜線は、そのボタンがユーザのタッチ操作によって選択されたことを示している。
【００４６】
制御部２２は、予約操作装置２１全体を制御する。本実施の形態においては、制御部２２は撮像処理部２３によって番組表イメージデータが取込まれると、取込んだ番組表イメージデータに基づく番組表イメージ表示を表示部２２に表示させると共に、撮像して得られた番組表イメージデータから番組表パターンデータを生成する。制御部２２において番組表イメージデータから番組表パターンデータを生成する処理は、番組予約装置１の番組データ管理部５による処理と同様である。
【００４７】
制御部２２は、生成した番組表パターンデータをＩ／Ｏ部２５及びＩ／Ｏ部６を介して、番組予約装置１の番組データ管理部５に出力することができるようになっている。
【００４８】
また、制御部２２は、番組予約装置１から番組表イメージデータが転送されると、この番組表イメージデータに基づく番組表イメージ表示を表示部２４に表示させることができる。更に、制御部２２は、ユーザがタッチパネル４０を触ることによって、番組表イメージ表示の特定の部分を指定した場合には、この特定部分を拡大した番組表イメージ表示を表示部２４に表示させることも可能である。
【００４９】
また、制御部２２は、番組予約装置１から番組表データが転送されると、この番組表データに基づく番組表データ表示を表示部２４に表示させることができる。更に、制御部２２は、ユーザがタッチパネル４０を触ることによって、番組表データ表示中の特定の番組を示す番組表データ表示部分を選択し、更に、ボタン３４，３５の操作が行われた場合には、選択された番組に対して、予約操作又は関連情報の表示操作を実行するようになっている。
【００５０】
即ち、制御部２２は、予約ボタン３４が操作されると、選択されている番組を予約するための情報を生成して、番組予約装置１に転送する。また、制御部２２は、関連情報ボタン３５が操作されると、選択されている番組の関連情報を読み出すための情報を生成して、番組予約装置１に転送するようになっている。
【００５１】
次に、このように構成された実施の形態の動作について説明する。
【００５２】
先ず、図３を参照して新聞や雑誌のテレビ欄を撮像する予約操作について説明する。
【００５３】
ユーザは新聞や雑誌のテレビ欄を開く。図３は例えば図示しない卓上に、××新聞のテレビ欄を広げた状態を示している。ユーザは新聞のテレビ欄を参照して、予約する番組を決定する。この場合には、新聞や雑誌のテレビ欄は、その日の全チャンネルの全時間帯の番組表が１ページ又は見開きページに掲載されていることが多く、ユーザはテレビ欄を見ながらの予約番組を簡単に決定することができる。
【００５４】
予約しようとする番組が決まると、ユーザは、番組表上でその番組の情報が記載されている領域近傍を、予約操作装置２１によって撮像する。なお、予約操作装置２１の撮像処理部２３は、例えば携帯電話等に採用されているカメラ機能と同様の機能を有しており、予約操作装置２１上のシャッタボタン（図示せず）を押すまでは、撮像範囲の画像を表示部２４の表示面３１の画像表示領域３２ａに映出可能である。
【００５５】
ユーザは、画像表示領域３２ａ内に予約を希望する番組の掲載領域を含む領域が表示されると、シャッタボタンによって撮像を指示する。例えば、ユーザが、図３のＡ放送及びＢ放送の午前１０時−正午の２時間分の番組掲載領域を含む範囲を撮像したものとする。予約を希望する番組の掲載領域を含む撮像範囲の番組表イメージデータは、表示部２４において表示されると共に、制御部２２によって、番組表パターンデータが生成される。制御部２２は、番組表パターンデータを番組予約装置１に転送する。
【００５６】
番組予約装置１の番組データ管理部５は、予約操作装置２１からの番組表パターンデータを受信すると、この番組表パターンデータを比較部９に出力する。比較部９は、予約操作装置２１からの番組表パターンデータと番組表データ保存部１０に保存されている参照番組表パターンデータとの比較によって、撮像に基づく番組表パターンデータが××××年×年×日の××新聞が発行したテレビ欄のＡ放送及びＢ放送の午前１０時−正午の２時間分の番組掲載領域を含む範囲のものであることを検出して、検出結果を番組データ管理部５に出力する。
【００５７】
番組データ管理部５は、比較部９の検出結果に基づいて、番組表データ保存部１０からＡ放送及びＢ放送の午前１０時−正午の２時間分の番組についての番組表データを読み出して、予約操作装置２１に転送する。
【００５８】
予約操作装置２１の制御部２２は、番組予約装置１から番組表データが転送されると、このデータに基づく番組表データ表示を表示部２４の表示面３１に表示させる。図３では、４つの番組の番組表データ表示が表示されていることを示している。
【００５９】
ここで、ユーザが４つの番組表データ表示中、図３の右下に表示されている番組について関連情報の表示を希望するものとする。この場合には、ユーザは、タッチパネル４０を利用して、右下に表示されている番組表データ表示上をタッチして選択する。次に、アイコン化されている関連情報ボタン３５上をタッチする。そうすると、制御部２２は、選択された番組について関連情報を取得するための情報を生成して、番組予約装置１に転送する。
【００６０】
これにより、番組予約装置１の番組関連情報受信部４は、インターネット１２にアクセスして、選択された番組の関連情報を取得し、番組データ管理部５を介して予約操作装置２１に転送する。こうして、制御部２２は、表示部２４の表示面３１上に、選択した番組の関連情報を表示させることができる。
【００６１】
ここで、ユーザが選択中の番組の録画予約を希望するものとする。この場合には、ユーザは、番組が選択されている状態で、予約ボタン３４上をタッチする。そうすると、そうすると、制御部２２は、選択された番組について録画予約を行うための情報を生成して、番組予約装置１に転送する。番組予約装置１の番組データ管理部５は、録画予約部８に、ユーザによって選択された番組について録画予約を指示する。
【００６２】
次に、ユーザが予約操作装置２１を用いた撮像操作によって、番組表特定イメージデータを取得した場合の動作について図４を参照して説明する。
【００６３】
ユーザは新聞や雑誌のテレビ欄を開く。次に、ユーザは新聞や雑誌等のページ番号等を撮像して番組表特定イメージデータを得る。この番組表特定イメージデータは、制御部２２によって番組予約装置１に転送される。番組予約装置１の番組データ管理部５は、番組表特定イメージデータから、ユーザが撮像したページ番号等が、いずれのメディアのいずれのページの番組表を示すものであるかを検出し、そのページの番組表イメージデータをインターネット１２又は番組表データ保存部１０から読み出して、予約操作装置２１に転送する。
【００６４】
予約操作装置２１の制御部２２は、転送された番組表イメージデータに基づく番組表イメージデータ表示を表示部２４に表示させる。図４（ａ）はこの場合の表示例を示している。表示面３１上には、番組表の全体のイメージ６１が表示されている。
【００６５】
ここでユーザは、予約したい番組が掲載されている位置を予想し、例えば、図４の破線丸印近傍をタッチするものとする。制御部２２は、ユーザのタッチ操作に基づいて、図４の破線丸印近傍を拡大表示するための処理を行う。これにより、表示部２２の表示面３１上には、図４（ｂ）に示す拡大表示６２が表示される。
【００６６】
この拡大表示６２は、図３に示すテレビ欄の一部を撮像した場合に表示される番組表イメージデータ表示と同様のものである。制御部２２は、この拡大表示６２に対応する番組表パターンデータを生成して、番組予約装置１に転送する。
【００６７】
以後の動作は、図３の例と同様であり、番組予約装置１から番組表データが転送されて、表示面３１上には、番組表データ表示６３が表示される。
【００６８】
他の作用は図３の例と同様である。
【００６９】
このように本実施の形態においては、予約しようとする番組、或いは関連情報を表示させようとする番組の選択は、全番組を一度に参照可能なメディアを利用する。そして、このメディア上の番組欄を撮像して取込むことにより番組データを取得し、番組データに基づく表示を用いた番組選択を行っている。これにより、録画予約や番組の確認を指定が簡単であり、極めて操作性に優れた番組予約が可能である。
【００７０】
なお、上記実施の形態においては、番組表イメージデータをパターン化し、パターン認識によって対応する番組表データを取得したが、番組表イメージデータに対する文字認識処理を行い、得られた文字列を利用することで、番組表データを取得するようにしてもよい。この場合には、番組表データ保存部１０には、番組表パターンデータを保存しておく必要はない。
【００７１】
また、上記実施の形態においては、表示面上にアイコン化された予約ボタンが予め表示されているものとして説明したが、予約する番組の選択操作によって、予約ボタンをアイコン表示するようにしてもよい。
【図面の簡単な説明】
【００７２】
【図１】本発明の一実施の形態に係る予約操作装置及びこの予約操作装置を用いて予約を行う番組予約装置を示すブロック図。
【図２】図１中の予約操作装置２１の外観を示す説明図。
【図３】実施の形態の動作を説明するための説明図。
【図４】実施の形態の動作を説明するための説明図。
【符号の説明】
【００７３】
１…録画予約装置、５…番組データ管理部、９…比較部、１０…番組表データ保存部、１２…インターネット、２１…予約操作装置、２２…制御部、２３…撮像部、２４…表示部、２６…入力部。  
【図１】
2006311122.tif 000003
【図２】
2006311122.tif 000004
【図３】
2006311122.tif 000005
【図４】
2006311122.tif 000006